(57)【要約】【課題】本発明は、ラインガイド部と釣り糸の絡みを防止し、ラインガイド部における釣り糸の滑り抵抗を軽減することを目的とする。【解決手段】本発明による釣竿用左右非対称一本足ワイヤーガイドは、１本のワイヤー(10)を曲折させてループ状のラインガイド部(4)を形成し、前記ワイヤー(10)の両端の一対の足(11,15)を釣り糸(5)の進行方向(A)に沿って相前後する状態で束ねられ、前記ラインガイド部(4)を形成するワイヤー(10)の各足(11,15)の長手方向(C)に対する立上り角度がそれぞれ異なると共に、ループ部分の中で最も釣竿と距離が離れている部分が前記長手方向(C)に対して非直角の角度よりなる構成である。【選択図】図１
2010099043.tif 000002
【特許請求の範囲】
【請求項１】
１本のワイヤー(10)を曲折させてループ状のラインガイド部(4)を形成し、前記ワイヤー(10)の両端に形成された一対の直線状の第１、第２足(11,15)が前記ラインガイド部(4)を通過する釣り糸(5)の進行方向(A)に沿って互いに相前後する状態で束ねられ、前記釣り糸(5)と接する前記ラインガイド部(4)の中で、釣竿(1)の表面(21)からもっとも離れた部分の長手方向(C)に対する角度(θ2)が、前記長手方向(C)に対して非直角の角度であること特徴とする釣竿用左右非対称一本足ワイヤーガイド。
【請求項２】
前記、釣竿(1)の表面(21)からもっとも離れた部分の長手方向(C)に対する角度(θ２)が、４５度〜８０度であることを特徴とする請求項１記載の釣竿用左右非対称一本足ワイヤーガイド。
【請求項３】
前記ラインガイド部(4)を形成する前記ワイヤー(10)は、弧状部(13)と、曲折部(12)と、直線部(14)と、が連続して形成されていることを特徴とする請求項１又は２記載の釣竿用左右非対称一本足ワイヤーガイド。
【請求項４】
前記ラインガイド部(4)を形成する前記ワイヤー(10)の前記各足(11,15)の長手方向(C)に対する立上り角度(θ1、θ3)がそれぞれ異なることを特徴とする請求項１ないし３の何れかに記載の釣竿用左右非対称一本足ワイヤーガイド。
【請求項５】
前記各足(11,15)の長手方向(C)に対する立上り角度(θ1、θ3)の差異が３０度〜８０度であることを特徴とする請求項１ないし３の何れかに記載の釣竿用左右非対称一本足ワイヤーガイド。
【請求項６】
前記各足(11,15)は、同一面(21a)上に並設されていることを特徴とする請求項１ないし５の何れかに記載の釣竿用左右非対称一本足ワイヤーガイド。
【請求項７】
前記直線部(14)は前記足(11,15)と交叉して交叉部(20)を形成することを特徴とする請求項１ないし５の何れかに記載の釣竿用左右非対称一本足ワイヤーガイド。
【請求項８】
前記ラインガイド部(4)は、正面からみて８字型であることを特徴とする請求項１ないし７の何れかに記載の釣竿用左右非対称一本足ワイヤーガイド。
【請求項９】
前記各足(11,15)は、釣竿(1)の元竿方向(B)に伸びていることを特徴とする請求項１ないし８の何れかに記載の釣竿用左右非対称一本足ワイヤーガイド。
【発明の詳細な説明】
【技術分野】
【０００１】
本発明は、釣竿用左右非対称一本足ワイヤーガイドに関し、特に、ラインガイド部と釣り糸の絡みを防止し、ラインガイド部における釣り糸の滑り抵抗を軽減するための新規な改良に関する。
【背景技術】
【０００２】
従来、用いられていたこの種の釣竿用ワイヤーガイドとしては、市販されているのみで特許出願していないため、特許文献等を特に開示していないが、その代表的な構成を挙げると、図１７、１８、１９に示される通りである。
すなわち、図１７、１８、１９において符号１で示されるものは釣竿であり、この釣竿１の表面には、ワイヤーガイド２の台座３（足に相当）が取付糸（図示せず）を介して固定され、この台座３上には丸輪状のラインガイド部４が一体状に設けられている。
前記ラインガイド部４は、一本のワイヤー又はセラミック及びプラスチック等の何れかで形成された筒体（図示せず）で構成されている。尚、このワイヤーガイド２は、図１７の平面図の状態で釣竿１に取付けると図１８のようになり、図１９は図１７にひねりを加えた斜視図であり、実際には、図１８のように、ワイヤーガイド２を垂直として用いる。
【発明の開示】
【発明が解決しようとする課題】
【０００３】
従来のワイヤーガイドは、以上のように構成されていたため、次のような課題が存在していた。
すなわち、前述の図１７〜１８のラインガイド部の構成の場合、ラインガイド部４と釣り糸が最も強く接する部分、すなわち、ラインガイド４のなかで釣竿１の表面２１との距離が最も離れている部分と、台座３の長手方向、すなわち、釣り糸５の進行方向Ａの作り出す角度が直角θ４に設けられているため、釣り糸に対する滑り抵抗、とりわけ滑り出し時における抵抗が大きくなるため、投げ釣り時における釣り糸の飛ばしや使用感に悪影響を与えていた。
【０００４】
また、この問題を解決するために前述の図１９で示すように、ラインガイド部に単純にひねりを加えることで、ラインガイド部４と釣り糸の進行方向Ａの作り出す角度θ４を直角で無くしたような形状のガイドでは、釣り糸がガイドの足の部分に容易に絡む事は自明であろう。
【課題を解決するための手段】
【０００５】
本発明による釣竿用左右非対称一本足ワイヤーガイドは、１本のワイヤーを曲折させてループ状のラインガイド部を形成し、前記ワイヤーの両端に形成された一対の直線状の第１、第２足が前記ラインガイド部を通過する釣り糸の進行方向に沿って互いに相前後する状態で束ねられ、前記釣り糸と接する前記ラインガイド部を形成する前記ワイヤーの中で釣竿１の表面２１との距離が最も離れた部分が、前記長手方向に対して非直角の角度である構成であり、また、前記部分の長手方向に対する角度は、４５度〜８０度である構成であり、また、前記ラインガイド部を形成する前記ワイヤーは、弧状部と、曲折部と、直線部と、が連続して形成されている構成であり、また、前記各足は、それぞれに異なった立ち上がり角度を有する構成であり、また、前記各足の立ち上がり角度の差異は３０度〜８０度である構成であり、また、前記各足は、同一面上に並設されている構成であり、また、前記直線部は前記足と交叉して交叉部を形成する構成であり、また、前記ラインガイド部は、側面からみて８字型である構成であり、また、前記各足は、釣竿の元竿方向に伸びている構成である。
【発明の効果】
【０００６】
本発明による釣竿用左右非対称一本足ワイヤーガイドは、以上のように構成されているため、次のような効果を得ることができる。
すなわち、１本のワイヤーを曲折させてループ状のラインガイド部を形成し、前記ワイヤーの両端に形成された一対の直線状の第１、第２足が前記ラインガイド部を通過する釣り糸の進行方向に沿って互いに相前後する状態で束ねられ、前記釣り糸と接する前記ラインガイド部を形成する前記ワイヤーの中で釣竿１の表面２１との距離が最も離れた部分が、前記長手方向に対して非直角の角度であり、前記各足の立ち上がり角度がおのおの異なる特徴を有する構成でありることにより、釣り糸の滑り抵抗が軽減され、釣り糸の絡みを防止し快適な釣りができる。
また、前記ワイヤーの中で釣竿１の表面２１との距離が最も離れた部分と長手方向のなす角度が、４５度〜８０度であることにより、前述の効果をより一層高めることができる。
また、前記各足の立ち上がり角度の差異が３０度〜８０度であることにより、前述の効果をより一層高めることができる。
また、前記ラインガイド部を形成する前記ワイヤーは、弧状部と、曲折部と、直線部と、が連続して形成されてなることにより、側面からみた場合に８字型に形成され、釣り糸の滑り抵抗を大きく軽減させることができる。
また、前記各足は、同一面上に並設されていることにより、釣竿への取付けが容易となる。
前記直線部は前記足と交叉して交叉部を形成することにより、各足を並設して束ねる時の組立てが容易となる。
前記各足は、釣竿の元竿方向に伸びていることにより、ワイヤーガイドの釣竿への取付けが容易となる。
【発明を実施するための最良の形態】
【０００７】
本発明は、ラインガイドと釣り糸の絡みを防止し、ラインガイド部における釣り糸の滑り抵抗を軽減するようにした釣竿用左右非対称一本足ワイヤーガイドを提供することを目的とする。
【実施例】
【０００８】
以下、図面と共に本発明による釣竿用左右非対称一本足ワイヤーガイドの好適な実施の形態について説明する。
尚、従来例と同一又は同等部分には同一符号を付して説明する。
図１及び図２は、本発明の第１形態を示すもので、釣竿１の表面２１にはワイヤーガイド２が取付け糸（図示せず）等で固定されており、このワイヤーガイド２は、平面的には図１の構成となり、正面では図２の構成となる。
【０００９】
前記ワイヤーガイド２は、一本のワイヤー１０を曲折させて構成され、このワイヤー１０の一方の端部は直線状の第１足１１として形成され、この第１足１１は、他端の第２足１５に向けて、曲折部１２、円弧状の弧状部１３及び直線部１４が一体に連続して形成されたループ状のラインガイド部４を有している。
【００１０】
前記第１、第２足１１、１５は、図１の平面でみた場合、前記釣竿１上で互いに束ねられて並設され、前記曲折部１２、弧状部１３及び直線部１４は、前記各足１１、１５から前記各足１１、１５の長手方向Ｃに対してそれぞれ異なった角度で一体に立上げられ、それぞれの足の立ち上がり角度の差異は３０度〜８０度であり、なおかつ弧状部１３のなかで釣竿１の表面２１と最も距離が離れた部分が釣り糸の進行方向Ａに対してθ２非直角の角度を有しており、この角度θ２は４５度から８０度の非直角の角度で形成され、釣り糸とガイドの通常に接する角度が従来の直角（直交）と異なり非直角（非直交）状態となるように構成されている。
【００１１】
前記各足１１、１５は、前述のように、前記進行方向Ａに沿って互いに相前後する状態、すなわち、各足１１、１５はその長さが互いに異なるため、互いに位置がずれた状態で束ねられていると共に図９で示されるように同一面２１ａ上に並設されており、前記第１足１１の方が第２足１５よりも直線領域が長くなるように形成され、この第１足１１と直線部１４とにより、平面でみてＶ字型をなすＶ型領域１６が形成されている。従って、図２で示されるように、前記ワイヤーガイド２は正面でみて８字型に形成されている。尚、前記ラインガイド部４は、図１１の平面でみて中心に対して非対称に形成されている。
【００１２】
図３及び図４は、本発明の第２形態を示しており、前記第２足１５を前記第１足１１の上に上げて交叉させ、前記直線部１４と第１足１１とによって交叉部２０が形成されている。
また、前記各足１１、１５は、前記釣竿１上で元竿方向Ｂを向いて伸び、この各足１１、１５は一本足としてラインガイド部４を支持している。
尚、他の部分は、図１及び図２と同一であるため、同一部分には同一符号を付してその説明は省略する。
【００１３】
図５及び図６は、本発明の第３形態を示すもので、前記弧状部１３の形状を第１形態のそれに対し左右反対に製作した構成を示し、図１及び図２と同一又は同等部分には同一符号を付し、その説明は省略する。
【００１４】
図７及び図８は、本発明の第４形態を示すもので、前記弧状部１３の形状を第２形態のそれに対し左右反対に製作した構成を示し、図３及び図４と同一又は同等部分には同一符号を付し、その説明は省略する。
【００１５】
次に、前述のワイヤーガイド２を実際に加工する工程について説明する。
まず、本発明によるワイヤーガイド２を加工するための治具としては、図１０及び図１１で示される治具５０を用いる。
前記治具５０は、長手板状の本体５１と、前記本体５１の一端側に設けられた円柱５２と、前記円柱５２の近傍に形成され前記本体５１を板厚方向に貫通する貫通孔５３と、から構成されている。
【００１６】
前述の治具５０を用いる場合、図１２、図１３の第１工程に示されるように、前記ワイヤー１０の第１足１１となる一端を貫通孔５３に貫通させ、ワイヤー１０を直角状に曲折して曲折部１２を形成する。
【００１７】
次に、図１４の第２工程に示されるように、前記曲折部１２を前記円柱５２の周面に巻き付けてほぼ１周させて円弧状の弧状部１３及び直線部１４を形成し、次に、図１５の第３工程において、前記直線部１４の先端側の第２足１５の手前位置Ｄを前記本体５１の角部５１ａを介して３０〜４５度曲げる。
【００１８】
前述の第１工程から第３工程の加工を終了したワイヤー１０は、ワイヤーガイド２に近い形状となり、図１６の第４工程に示されるように、ワイヤー１０を前記治具５０から取り出す。
【００１９】
次に、前述の治具５０から取り出した前記ワイヤー１０の各足１１、１５を、図１６の右側にて示すように、無理やり合わせて並設させることにより、図１で示されるワイヤーガイド２を得ることができる。
【図面の簡単な説明】
【００２０】
【図１】本発明による釣竿用左右非対称一本足ワイヤーガイドの第１形態を示す平面図である。
【図２】図１の正面図である。
【図３】本発明の第２形態を示す平面図である。
【図４】図３の正面図である。
【図５】本発明の第３形態を示す平面図である。
【図６】図５の正面図である。
【図７】本発明の第４形態を示す平面図である。
【図８】図７の正面図である。
【図９】図１から図８の各足の側面図である。
【図１０】本発明のワイヤーガイドの加工に用いられる治具を示す平面図である。
【図１１】図１０の左側面図である。
【図１２】本発明の治具を用いてワイヤーガイドを加工する第１工程を示す構成図である。
【図１３】図１２の平面図である。
【図１４】本発明の第２工程を示す構成図である。
【図１５】本発明の第３工程を示す構成図である。
【図１６】本発明の治具から取り出した加工後のワイヤーを示す斜視図及び加工後のワイヤーの足を揃えて束ねる状態を示す斜視図である。
【図１７】従来のワイヤーガイドを示す平面図である。
【図１８】図１７の正面図である。
【図１９】図１７のラインガイド部をひねった状態の平面図である。
【符号の説明】
【００２１】
１    釣竿
２    ワイヤーガイド
Ａ    進行方向
Ｂ    元竿方向
Ｃ    長手方向
４    ラインガイド部
５    釣り糸
１０    ワイヤー
１１    第１足
１２    曲折部
１３    弧状部
１４    直線部
１５    第２足
１６    Ｖ型領域
２０    交叉部
２１    表面
２１ａ  同一面
【図１】
2010099043.tif 000003
【図２】
2010099043.tif 000004
【図３】
2010099043.tif 000005
【図４】
2010099043.tif 000006
【図５】
2010099043.tif 000007
【図６】
2010099043.tif 000008
【図７】
2010099043.tif 000009
【図８】
2010099043.tif 000010
【図９】
2010099043.tif 000011
【図１０】
2010099043.tif 000012
【図１１】
2010099043.tif 000013
【図１２】
2010099043.tif 000014
【図１３】
2010099043.tif 000015
【図１４】
2010099043.tif 000016
【図１５】
2010099043.tif 000017
【図１６】
2010099043.tif 000018
【図１７】
2010099043.tif 000019
【図１８】
2010099043.tif 000020
【図１９】
2010099043.tif 000021